(57)【要約】クラッチ機構５であって、入力軸にスプライン嵌合されるクラッチガイド５１と、出力軸にスプライン嵌合されるクラッチハブ５２と、クラッチハブ５２およびクラッチガイド５１間に配置された複数の摩擦係合要素５３，５４と、摩擦係合要素を相互に係合させてクラッチを締結する作動部材５６とを備え、クラッチガイド５１，クラッチハブ５２の軸方向の位置は、シム６０、６２を介してクラッチケース１５に固定され、クラッチハブの軸方向へのクリアランス７２は、締結開始後に生じるクラッチガイド５１と摩擦係合要素５３、５４の剛性による軸方向の変化よりも、クラッチハブ５２が出力シャフト７に対して摺動可能に大きくなるよう設定される。こうして、多板クラッチにおいて、特別な機構を設けることなく低コストで、伝達トルクのヒステリシスを低減してトルク精度を向上できる。【選択図】図２
2015146465.tif 000002
【特許請求の範囲】
【請求項１】
動力源から入力軸に入力される駆動力を、湿式多板クラッチを介して出力軸に伝達する動力伝達装置のクラッチ機構であって、前記入力軸にスプライン嵌合されるクラッチガイドと、前記出力軸にスプライン嵌合されるクラッチハブと、前記クラッチハブおよび前記クラッチガイド間に配置された複数の摩擦係合要素と、前記摩擦係合要素を相互に係合させて前記クラッチを締結する作動部材とを備えるクラッチ機構において、
前記クラッチハブ及び前記クラッチガイドそれぞれの軸方向へのクリアランスを調整するためのシムを備え、
前記シムを介して固定されたクラッチハブの軸方向へのクリアランスは、前記締結の開始後に前記クラッチガイド及び前記複数の摩擦係合要素の剛性による軸方向の変位よりも、当該クラッチハブが出力軸に対して摺動可能に大きくなるように設定されることを特徴とする動力伝達装置のクラッチ機構。
【請求項２】
前記クラッチガイドは、軸方向の両端に配置された第１及び第２シムにより前記クリアランスを調整され、
前記クラッチハブは、前記第１シムのみにより前記クリアランスを調整される
ように構成したことを特徴とする請求項１に記載の動力伝達装置のクラッチ機構。
【発明の詳細な説明】
【技術分野】
【０００１】
本発明は、車輛用動力伝達装置における多板クラッチ機構に関し、多板クラッチ機構におけるトルク精度を向上させるための改良に関する。
【背景技術】
【０００２】
従来、車輛用動力伝達装置などには、湿式多板クラッチが広く用いられている。この種、湿式多板クラッチ等は、複数枚のフリクションディスクと複数枚のセパレータプレートとを交互に配置し、両者を油圧で圧接させてトルクを伝達するようになっており、湿式多板クラッチ等の非締結時（フリクションディスクとセパレータプレートとが離間されてトルク伝達が不可能な状態をいう）においては、フリクションディスクの側面に設けた摩擦材とセパレータプレートとの接触面間に潤滑油を介在させて相互間の焼き付きを防止している。【０００３】
従来の湿式多板クラッチでは、フリクションディスクとセパレータプレートとを押圧する推力を上昇又は下降させる際に、クラッチの締結開始後に係合する各部品の剛性により軸方向の変位が生じる。このとき、それら係合する各部品に軸方向の自由度がない又は少ないために、前記変位とは反対方向に生じる摺動抵抗の方向が揃う。このため、摩擦面に働く垂直荷重が推力上昇側で減る一方、推力下降側で増えることにより、伝達トルクのヒステリシスが大きかった。【０００４】
図４は、伝達トルクのヒステリシスの定義を説明する図である。横軸は、或る推力に対してそのクラッチで期待される「狙いトルク」を表し、縦軸は或る推力に対して当該クラッチで得られる「実トルク」を表す。図４に示す通り、各狙いトルクにおいて、推力が上昇する場合の実トルクと推力が下降する場合の実トルクに差がある。この上昇時と下降時のトルクの差を伝達トルクのヒステリシス（又はトルクヒステリシス）という。伝達トルクのヒステリシスが大きいほど、トルク精度（すなわち、或る推力に応じた狙いトルクに対する実トルクの差分）が悪くなる。【０００５】
湿式多板クラッチにおいてトルク精度を向上する手法として、例えば下記特許文献１は、フリクションディスクにおいて、複数の摩擦材を周方向に間隔を隔てて配置して隣接する摩擦材間に潤滑油を排出するための油路を形成するとともに、該油路の路幅を半径方向内側から外側へ向かって順次大きくすることにより、湿式多板クラッチにおいてプレートの間に介在された潤滑油の排出性を向上し、低非締結時の連れ回りを低減するようにした技術を開示している。【０００６】
しかし、上記の特許文献１のように、潤滑油を排出する構造を改良することによりトルク精度を向上する構成では、特別な機構を設ける必要があるため、設置スペースが必要となる点、及び、コストが嵩むという点で不利である。
【先行技術文献】
【特許文献】
【０００７】
【特許文献１】特開２００３‐９０３７０号公報
【発明の概要】
【０００８】
本発明は上述の点に鑑みてなされたもので、特別な機構を設けることなく低コストで、伝達トルクのヒステリシスを低減してトルク精度を向上できるようにした動力伝達装置の多板クラッチ機構を提供することを目的とする。
【０００９】
本発明に係る多板クラッチ機構は、動力源から入力軸（４）に入力される駆動力を、湿式多板クラッチを介して出力軸（７）に伝達する動力伝達装置（１０）のクラッチ機構（５）であって、前記入力軸にスプライン嵌合されるクラッチガイド（５１）と、前記出力軸にスプライン嵌合されるクラッチハブ（５２）と、前記クラッチハブおよび前記クラッチガイド間に配置された複数の摩擦係合要素（５３，５４）と、前記摩擦係合要素を相互に係合させて前記クラッチを締結する作動部材（５６）とを備えるクラッチ機構において、前記クラッチハブ及び前記クラッチガイドそれぞれの軸方向へのクリアランスを調整するためのシム（６０、６２）を備え、前記シムを介して固定されたクラッチハブの軸方向へのクリアランス（７２）は、締結開始後に生じる前記クラッチガイド（５１）及び前記摩擦係合要素（５３、５４）の剛性による軸方向の変化よりも、当該クラッチハブ（５２）が出力軸（７）に対して摺動可能に大きくなるように設定されることを特徴とする。
【００１０】
クラッチハブの軸方向へのクリアランス（７２）は、前記クラッチガイド（５１）及び前記摩擦係合要素（５３、５４）の締結開始後の軸方向変位よりも、クラッチハブ（５２）が出力軸（７）に対して摺動可能に大きくなるよう設定されることにより、作動部材（５６）によりクラッチを締結する際に、作動部材からの推進力に応じて、クラッチハブは出力軸の軸方向に沿って移動可能である。このクラッチハブの移動により、摩擦係合要素（５４）の摺動抵抗が、全体として相殺するように分布するため、トルク伝達のヒステリシスを低減することができる。
【００１１】
一実施形態において、前記クラッチガイド（５１）は、軸方向の両端に配置された第１及び第２シム（６０,６２）により前記クリアランスを調整され、前記クラッチハブ（５２）は、前記第１シム（６０）のみにより前記クリアランスを調整される。この場合、第１及び第２シムを相互調整することで、クラッチガイドのクリアランスを一定に保つようにしつつ、クラッチハブのクリアランスを前記クラッチガイド（５１）及び前記摩擦係合要素（５３、５４）の締結開始後の軸方向変位よりも大きくするように設定することができる。
【００１２】
なお、上記で括弧内に記した図面参照符号は、後述する実施形態において対応する構成要素等を参考のために例示したものである。
【００１３】
本発明によれば、多板クラッチ機構において、特別な機構を設けることなく低コストで、伝達トルクのヒステリシスを低減してトルク精度を向上できるという、という優れた効果を奏する。
【図面の簡単な説明】
【００１４】
【図１】デフ機構として構成された本発明の一実施例に係る車輛用動力伝達装置の断面図。
【図２】図１に示すクラッチ機構に関連する部分の拡大断面図。
【図３】図１に示すクラッチ機構における伝達トルクのヒステリシス低減の様子を説明する図。
【図４】トルクヒステリシスの定義を説明する図。
【発明を実施するための形態】
【００１５】
以下、この発明の実施の形態を添付図面に従って詳細に説明する。
【００１６】
図１に示す本発明の一実施例に係る車輛用動力伝達装置は、駆動シャフト１の回転を左右の車輪（図示せず）に配分するためのデフ機構１０として構成されている。駆動シャフト１は、図示しないプロペラシャフトに結合し、図示しない駆動源（エンジン）からの回転運動が伝達される。デフ機構１０は、駆動シャフト１と一体回転する駆動ベベルギヤ２と、該駆動ベベルギヤ２に噛み合う従動ベベルギヤ３と、前記駆動シャフト１に直交して配置され、前記従動ベベルギヤ３と一体回転するように結合されたセンターシャフト４と、該センターシャフト４の左右に配置されたクラッチ機構５と、該各クラッチ機構５の出力を左右の車輪（図示せず）にそれぞれ伝達する左右の出力シャフト７とを備える。左右のクラッチ機構５いずれも、同一構成であってよく、同一の符号を付与した。また、左右の出力シャフト７いずれも、同一構成であってよく、同一の符号を付与した。センターシャフト４は、テーパ軸受１１、１２を介してデフ機構１０のケースに軸受けされるとともに、従動ベベルギヤ３が固定されて、センターシャフト４の全体が一体回転する。センターシャフト４の左右端には、円周方向に複数のスプライン歯が形成され、対応するクラッチ機構５及び６のクラッチガイド５１と一体回転するようにスプライン結合している。なお、センターシャフト４はクラッチ機構５から見て本発明における「入力軸」に該当し、出力シャフト７はクラッチ機構５から見て本発明における「出力軸」に該当する。
【００１７】
クラッチ機構５は、それぞれ湿式多板クラッチからなっている。以下、クラッチ機構５の要部について、図２の拡大図を参照して詳細説明をする。クラッチ機構５は、動力伝達装置のクラッチケース１５内に収容されたクラッチガイド５１およびクラッチハブ５２と、該クラッチハブ５２および該クラッチガイド５１間に配置された複数のセパレータプレート５３と複数のフリクションディスク５４と複数のセパレータプレート５３と複数のフリクションディスク５４を相互に係合させて当該クラッチ機構５を締結するためのピストン５６とを備えている。
【００１８】
クラッチガイド５１は、センターシャフト４にスプライン嵌合し、該センターシャフト４と一体回転する。クラッチハブ５２は、出力シャフト７にスプライン結合し、軸受１４を介してクラッチケース１５に対して回転自在に取り付けられており、該出力シャフト７と一体回転する。一方、クラッチガイド５１とクラッチハブ５２は、軸受１３を介して相互に軸受けされ、相対回転可能である。
【００１９】
クラッチガイド５１には複数のセパレータプレート５３が軸方向に所定間隔で並んでスプライン結合する一方、クラッチハブ５２に対して複数のフリクションディスク５４が軸方向に所定間隔で並んでスプライン結合しており、各セパレータプレート５３とフリクションディスク５４が軸方向に交互に並ぶように組み合わせて配置される。クラッチガイド５１にスプライン結合したセパレータプレート５３の外側（図２では左端）に対向して、ピストン５６が配設される。ピストン５６は必要なクラッチ締結量を得るために油圧制御される（又は電磁制御であってもよい）。クラッチ締結時に、ピストン５６は、油圧により軸方向に（図２では右方向）駆動され、該ピストン５６の推進力によってセパレータプレート５３が軸方向（図２では右方向）に駆動され、セパレータプレート５３とフリクションディスク５４を相互に係合する。これにより、センターシャフト４からの回転がクラッチハブ５２に伝達される。ピストン５６は必要なクラッチ締結量を得るために油圧制御される（又は電磁制御であってもよい）。
【００２０】
図２に示す通り、クラッチガイド５１は、第１シム６０及び第２シム６２を介してクラッチケース１５に対して取り付けられている。この第１シム６０及び第２シム６２により、クラッチガイド５１の軸方向へのクリアランスが調整される。軸方向の両端に配置された第１シム６０及び第２シム６２により、クラッチガイド５１は、クラッチケース１５内のピストン５６に対して固定されるようになっている。クラッチガイド５１の軸方向へのクリアランスは、図２において両矢印７０で示す第１シム６０及び第２シム６２の間におけるクリアランスであり、これを「クラッチクリアランス」と呼ぶ。一方、クラッチハブ５２は、軸方向一端に配設された第１シム６０のみにより軸方向へのクリアランスが調整されるようになっている。クラッチハブ５２の軸方向へのクリアランスは、図２において両矢印７２で示す第１シム６０及び軸受１４の間におけるクリアランスであり、これを「アキシャルクリアランス」と呼ぶ。湿式多板クラッチからなるクラッチ機構５では、セパレータプレート５３とフリクションディスク５４とを押圧する推力を上昇又は下降させる際に、締結開始後に係合するクラッチガイド５１、セパレータプレート５３及びフリクションディスク５４の剛性により軸方向の変位を生じる。アキシャルクリアランス７２は、締結開始後に生じるクラッチガイド５１、セパレータプレート５３及びフリクションディスク５４の剛性による軸方向の変化よりも、クラッチハブ５２が出力シャフト７に対して摺動可能に大きくなるよう設定される。
【００２１】
アキシャルクリアランス７２の設定は、クラッチクリアランス７０の大きさを一定に保ちつつ、第１シム６０及び第２シム６２のサイズを相互に調整することにより、アキシャルクリアランス７２の大きさを変更するように行う。具体的には、第２シム６２を薄くしてアキシャルクリアランス７２を大きくする一方で、該第２シム６２を薄くした分、第１シム６０を厚くしてクラッチクリアランスを一定間隔に保つ、という具合に行う。
【００２２】
このように、アキシャルクリアランス７２が、締結開始後に生じるクラッチガイド５１、セパレータプレート５３及びフリクションディスク５４の剛性による軸方向の変化よりも大きくすることにより、クラッチハブ５２は、クラッチガイド５１に対して相対的に軸方向（図２では右方向）に移動する自由度を持つ、すなわち、出力シャフト７に対して摺動可能となる。ピストン５６からの軸方向の推進力に応じて、クラッチハブ５２が軸方向に変位する（ずれる）と、フリクションディスク５４の摺動抵抗が、全体として相殺するように分布する。その結果、トルク伝達のヒステリシスを低減することができる。
【００２３】
図３は、本実施例のようにクラッチハブ５２が軸方向への移動自由（出力シャフト７に対して摺動可能）である場合と、クラッチハブ５２を固定した場合との伝達トルクを比較説明するためのクラッチ模擬図である。
【００２４】
図３（ａ）に示すように、クラッチハブ５２を固定した構成において、ピストン５６の推力Ｆ（符号８０）を上げていく場合、クラッチガイド５１、セパレータプレート５３及びフリクションディスク５４の剛性により軸方向の変位（符号８５）が生じる。クラッチハブ５２を固定した状態では、クラッチガイド５１、セパレータプレート５３及びフリクションディスク５４に軸方向の自由度がない、又は、少ないために、前記変位方向と反対方向に生じる摺動抵抗ｆ（符号８２）の方向が揃う。この場合、（１）〜（６）の各位置にてセパレータプレート５３及びフリクションディスク５４の摩擦面に働く力は図３（ａ）に示す通りであり、伝達トルクは、それら力の合計でμｒ（６Ｆ−９ｆ）と表すことができる。一方、図３（ｂ）に示すように、ピストン５６の推力Ｆを下げていく場合、前記推力Ｆを上げていくときとは逆向きの変位（符号８５・）を生じるので、該推力Ｆを上げていくときとは逆向きの摺動抵抗ｆ（符号８２・）が、全てのフリクションディスク５４とクラッチハブ５２との間に発生する。この場合、（１）〜（６）の各位置にてセパレータプレート５３及びフリクションディスク５４の摩擦面に働く力は図３（ｂ）に示す通りであり、伝達トルクは、それら力の合計でμｒ（６Ｆ＋９ｆ）と表すことができる。すなわち、クラッチハブ５２を固定した場合、図３（ａ）に示すピストン推力Ｆの上昇側では伝達トルク「μｒ（６Ｆ−９ｆ）」が減少する一方、（ｂ）に示すピストン推力Ｆの下降側では伝達トルク「μｒ（６Ｆ＋９ｆ）」が増えることにより、伝達トルクのヒステリシスが大きくなる。この場合の伝達トルクのヒステリシスは「μｒ１８ｆ」と表すことができる。
【００２５】
それに対して、クラッチハブ５２が自由に移動できる構成において、ピストン５６の推力Ｆ（符号８０）を上昇する場合、図３（ｃ）に示すように、クラッチガイド５１、セパレータプレート５３及びフリクションディスク５４とともに、クラッチハブ５２にも軸方向の変位（符号８６）を生じる。このため、摺動抵抗ｆ（符号８２、８４）が、全体として相殺するように分布する。この場合、（１）〜（６）の各位置にてセパレータプレート５３及びフリクションディスク５４の摩擦面に働く力は図３（ｃ）に示す通りであり、伝達トルクは、それら力の合計でμｒ（６Ｆ−４ｆ）と表すことができる。一方、ピストン推力Ｆを下げる場合、図３（ｄ）に示すように、ラッチガイド５１、セパレータプレート５３及びフリクションディスク５４とともに、クラッチハブ５２に、推力を上げていくときとは逆向きに変位（図において符号８６・）を生じる。よって、この場合も、摺動抵抗ｆ（図において符号８２・、８４・）が、全体として相殺するように分布する。したがって、（１）〜（６）の各位置にてセパレータプレート５３及びフリクションディスク５４の摩擦面に働く力は図３（ｄ）に示す通りであり、伝達トルクは、それら力の合計でμｒ（６Ｆ＋４ｆ）と表すことができる。すなわち、クラッチハブ５２が自由に移動できる構成における伝達トルクのヒステリシスは、ピストン推力Ｆを上げるときの伝達トルク「μｒ（６Ｆ−４ｆ）」と該推力Ｆを下げるときの伝達トルク「μｒ（６Ｆ＋４ｆ）」との差より、「μｒ８ｆ」と表すことができる。このように、本実施例のようにクラッチハブ５２が自由に移動できる状態でのヒステリシスの大きさ「μｒ８ｆ」は、図３（ａ），（ｂ）に示すようなクラッチハブ固定時のヒステリシスの大きさ「μｒ１８ｆ」に比較して、４／９の大きさに低減される。
【００２６】
このように、本実施例のクラッチ機構５によれば、クラッチガイド５１の軸方向へのクリアランスと、クラッチハブ５２の軸方向へのクリアランスを設定するだけの簡単な構成により、特別な機構を設けることなく且つ低コストで、伝達トルクのヒステリシスを低減することができ、トルク精度を向上することができる。このため、例えばクラッチ非締結時における連れ回り等の不都合の発生を、効果的に低減することができる。
【００２７】
なお、上記実施例において、クラッチガイド５１及びクラッチハブ５２の軸方向へのクリアランスを調整する機構の一例として、第１シム６０及び第２シム６２を説明したが、クリアランスを調整する機構は、クラッチクリアランス７０を一定に保ちつつ、アキシャルクリアランス７２が、締結開始後に生じるクラッチガイド５１、セパレータプレート５３及びフリクションディスク５４の剛性による軸方向の変化よりも、当該クラッチハブ５２が出力シャフト７に対して摺動可能に大きくなるよう設定できるのであれば、どのような構成でもよい。
【００２８】
上記実施例では、回転駆動力を左右の車輪（後輪）に配分するためのデフ機構１０において、本発明に係るクラッチ機構を適用した例を示している。しかし、これに限らず、本発明に係る湿式多板クラッチ機構は、その他の動力伝達装置に対して適用することができる。
【図１】
2015146465.tif 000003
【図２】
2015146465.tif 000004
【図３】
2015146465.tif 000005
【図４】
2015146465.tif 000006
【手続補正書】
【提出日】平成27年7月22日(2015.7.22)
【手続補正１】
【補正対象書類名】特許請求の範囲
【補正対象項目名】全文
【補正方法】変更
【補正の内容】
【特許請求の範囲】
【請求項１】
動力源から入力軸に入力される駆動力を、湿式多板クラッチを介して出力軸に伝達する動力伝達装置のクラッチ機構であって、前記入力軸にスプライン嵌合されるクラッチガイドと、前記出力軸にスプライン嵌合されるクラッチハブと、前記クラッチハブおよび前記クラッチガイド間に配置された複数の摩擦係合要素と、前記摩擦係合要素を相互に係合させて前記クラッチを締結する作動部材とを備えるクラッチ機構において、
前記クラッチハブ及前記クラッチガイドそれぞれの軸方向へのクリアランスを調整するために第１シム及び第２シムを備え、
前記クラッチガイドは、軸方向の両端に配置された前記第１及び前記第２シムにより前記クリアランスを調整される一方、前記クラッチハブは、前記第１シムのみにより前記クリアランスを調整されるように構成されており、
前記クラッチハブの前記クリアランスは、前記締結の開始後に該クラッチハブが前記クラッチガイド及び前記複数の摩擦係合要素に対して相対的に前記軸方向に移動する自由度を持つように、該締結の開始後に前記クラッチガイド及び前記複数の摩擦係合要素の各々が各部材の剛性によって軸方向へ変位する量よりも大きくなるように設定される、ことを特徴とする動力伝達装置のクラッチ機構。
【請求項２】
（削除）
【国際調査報告】
2015146465.tif 000007
2015146465.tif 000008
2015146465.tif 000009
2015146465.tif 000010